(57)【要約】【課題】さらなる大容量化を可能とする記録媒体及び記録情報の再生方法を提供することを目的とする。【解決手段】本発明は、基体１１と、この基体１１に設けられる複数の記録部１２とを備え、複数の記録部１２が互いに異なる元素組成及び／又は元素重量の記録材料を含有し、元素組成及び／又は元素重量に対応した情報を記録している記録媒体１０である。【選択図】  図１
2005346774.tif 000002
【特許請求の範囲】
【請求項１】
基体と、
前記基体に設けられる複数の記録部とを備え、
前記複数の記録部が互いに異なる元素組成及び／又は元素重量の記録材料を含有し、前記元素組成及び／又は元素重量に対応した情報を記録していることを特徴とする記録媒体。
【請求項２】
前記基体が複数の凹部を有し、前記凹部に前記記録部が収容されていることを特徴とする請求項１記載の記録媒体。
【請求項３】
前記複数の記録部に含まれる前記記録材料が少なくとも１つの共通する元素を含有することを特徴とする請求項１又は２に記載の記録媒体。
【請求項４】
前記基体に含まれる元素と、前記記録材料に含まれる元素とが異なることを特徴とする請求項１〜３のいずれか一項に記載の記録媒体。
【請求項５】
請求項１〜４のいずれか一項に記載の記録媒体における前記複数の記録部のそれぞれについて、前記記録部に含まれる元素の組成及び／又は重量の分析を行い、その分析結果に基づいて前記記録媒体に含まれる記録情報を再生することを特徴とする記録情報の再生方法。
【請求項６】
前記記録部のそれぞれについて、蛍光Ｘ線分析法を用いて前記記録部に含まれる元素の組成及び／又は重量の分析を行うことを特徴とする請求項５記載の記録情報の再生方法。
【請求項７】
前記記録部のそれぞれに対してレーザーアブレーションを行い、得られる飛散物についてＩＣＰ質量分析法を用いて元素の組成及び／又は重量の分析を行うことを特徴とする請求項５記載の記録情報の再生方法。
【発明の詳細な説明】
【技術分野】
【０００１】
本発明は、記録媒体及び記録情報の再生方法に関する。
【背景技術】
【０００２】
ＣＤ−Ｒ／ＲＷ等の記録媒体は一般に、記録ピットと、これと異なる反射率を有するランドとを有しており、記録媒体に含まれる記録情報を再生する場合には、記録ピット及びランドに対して再生用レーザー光を照射し反射光を検出することにより、記録媒体に含まれる記録情報の再生が行われる。
【０００３】
この記録媒体においては、記録ピット又はランドに対しては０又は１の２ビットの情報が割り当てられている。
【０００４】
しかし、近年の情報量の増加に伴い、記録媒体の更なる大容量化が求められている。容量を増加させるために記録ピットの小型化が進んでいるが、記録ピットの小型化は記録時に集光するレーザービーム径の関係から限界に近づいており、記録媒体の大容量化は難しくなってきている。
【０００５】
このような状況の下、記録部に有機色素を用い、記録用レーザービームの照射による変質度により反射率を多段階（例えば８段階）に規定した光記録媒体が提案されている（例えば、特許文献１参照）。この光記録媒体によれば反射率が多段階に規定されている。このため、段階の数に基づいて１つの記録部あたりに割り当てられるビット数を増加させることができるため、容量を増加させることができる。
【特許文献１】特開２００２−３６７１７２号公報
【発明の開示】
【発明が解決しようとする課題】
【０００６】
しかしながら、本発明者らは、上述した特許文献１に記載の記録媒体に以下の課題があることを見出した。
【０００７】
すなわち、上記特許文献１に記載の光記録媒体によれば、反射率の値を多段階に分けて規定することによって、容量の増加が可能になるものの、大容量化が求められる現在においては容量の増加は未だ十分とは言えない。また、容量を更に増加させる場合には反射率をより多段階に規定すればよいが、反射率を多段階に規定するためには、レーザービームの照射による変質度の微妙な制御が必要になる。しかし、このような変質度の微妙な制御は困難であるため、反射率をより多段階に規定することは困難であり、記録媒体のさらなる大容量化には限界がある。
【０００８】
本発明は、上記事情に鑑みてなされたものであり、さらなる大容量化を可能とする記録媒体及び記録情報の再生方法を提供することを目的とする。
【課題を解決するための手段】
【０００９】
上記課題を解決するため、本発明の記録媒体は、基体と、基体に設けられる複数の記録部とを備え、複数の記録部が互いに異なる元素組成及び／又は元素重量の記録材料を含有し、前記元素組成及び／又は元素重量に対応した情報を記録していることを特徴とする。
【００１０】
本発明の記録媒体においては、上記のように複数の記録部が互いに異なる元素組成及び／又は元素重量の記録材料を有し、各記録部においては、元素組成及び／又は元素重量に対応した情報が記録されている。ここで、記録部について元素分析を行うことにより、元素を的確に検出することが可能であり、且つ、元素重量については広範囲にわたって検出することが可能である。従って、元素の種類を増加させるか、元素分析により測定可能な重量範囲の分割数を増加させるか、あるいはこれらを併用することにより、１つの記録部当たりに割り当てられるビット数を大幅に大きくすることが可能となる。
【００１１】
上記記録媒体においては、上記基体が複数の凹部を有し、この凹部に記録部が収容されていることが好ましい。この場合、記録部が基体の凹部に収容されているため、基体が凹部で周辺物と接触しても、記録部と周辺物との接触が十分に防止される。従って、記録部と周辺物との接触による記録部へのコンタミネーションの付着が十分に防止され、記録部に含まれている情報を的確に再生することができる。
【００１２】
上記記録媒体においては、前記複数の記録部が少なくとも１つの共通する元素を含有することが好ましい。複数の記録部が少なくとも１つの共通の元素を含有することによって、より的確なデータを得ることができる。すなわち、複数の記録部について元素分析を行った結果、複数の記録部に共通する元素間で重量差が生じたとしても、その重量差を小さくする補正を行うことにより、記録部に含まれている情報をより的確に再生することができる。
【００１３】
上記記録媒体においては、基体を構成する元素と、記録部に含まれる元素とが異なることが好ましい。この場合、記録部について元素分析を行う際に、基体に含まれる元素が記録部に含まれる元素とともに測定されても、記録部に含まれている情報を的確に再生することができる。
【００１４】
本発明の記録情報の再生方法は、上述した記録媒体における前記複数の記録部のそれぞれについて、前記記録部に含まれる元素の組成及び／又は重量の分析を行い、その分析結果に基づいて前記記録媒体の記録部に含まれる記録情報を再生することを特徴とする。
【００１５】
この記録情報の再生方法によれば、上述した記録媒体に含まれる記録情報を有効に再生することができる。
【００１６】
上記再生方法においては、前記記録部のそれぞれについて、蛍光Ｘ線分析法を用いて前記記録部に含まれる元素の組成及び／又は重量の分析を行うことが好ましい。この再生方法によれば、上述した記録部にＸ線を照射し、発せられる蛍光Ｘ線を分析することにより再生が行われる。このため、この再生方法によれば、記録部を破壊することなく、元素分析を行うことが可能となる。よって、記録部に記録された情報を何回も読み出すことができ、記録媒体を、いわゆるＲｅａｄ  Ｏｎｌｙ  Ｍｅｍｏｒｙの記録媒体として使用することができる。
【００１７】
上記再生方法においては、前記記録部のそれぞれに対してレーザーアブレーションを行い、得られる飛散物についてＩＣＰ質量分析法を用いて元素の組成及び／又は重量の分析を行うことが好ましい。この場合、元素が極微量であっても高感度且つ高精度で元素の組成及び重量の分析を行うことができる。また、この再生方法では、記録部をレーザーアブレーションによって飛散物とする。ここで飛散物とは、微粒子の他、ガスも含む。この再生方法によれば、上記記録媒体の記録部に記録された情報は、一度しか読み出すことができない。したがって、この再生方法によれば、上記記録媒体を、セキュリティーの保護等に使用可能な、いわゆるＲｅａｄ  Ｏｎｃｅ  Ｍｅｍｏｒｙの記録媒体として用いることができる。
【発明の効果】
【００１８】
本発明によれば、さらなる大容量化を可能とする記録媒体及び記録情報の再生方法を提供することができる。
【発明を実施するための最良の形態】
【００１９】
以下、図面を参照して本発明に係る記録媒体の好適な実施形態について詳細に説明する。
【００２０】
図１は、本発明に係る記録媒体の好適な実施形態を示す平面図、図２は、図１のＩＩ−ＩＩ線に沿った断面図である。
【００２１】
図１に示すように、本実施形態の記録媒体１０は、平板状の基体１１を備えており、基体１１の一面１１ａには、複数の記録部１２が設けられている。以下、必要に応じて、図１の１２個の記録部をそれぞれ１２ａ〜１２ｉと称する。複数の記録部１２ａ〜１２ｉは、基体１１の一面１１ａ上において所定の間隔で格子状に配列されている。基体１１は、図２に示すように、複数の凹部１３（１３ａ〜１３ｃ）を有しており、記録部１２は、各凹部１３に収容されている。記録部１２ａ〜１２ｉは互いに異なる元素組成及び／又は元素重量の記録材料を含有しており、各記録部１２ａ〜１２ｉにおいては、その元素組成及び／又は元素重量に対応した情報が記録されている。
【００２２】
ここで、記録材料に含まれる元素は、後述する元素分析で検出できる元素を含むものであれば特に限定されない。元素分析で検出できる元素としては、元素周期表に掲載されている元素の大部分を用いることができる。具体的には、記録部１２について行う元素分析の種類によって好適に使用可能な元素は異なる。即ち、元素分析をＩＣＰ質量分析法を用いて行う場合には、元素として、元素周期表に掲載されている元素のうち、Ｈ、Ｎ、Ｏ、希ガス（Ｘｅを除く）以外の元素を用いることができる。なお、この場合、記録材料に含まれる元素には、上記元素分析で検出できる元素のほか、Ｈ、Ｎ、Ｏ、希ガス（Ｘｅを除く）が含まれていてもかまわない。元素分析を蛍光Ｘ線分析を用いて行う場合には、元素分析で検出できる元素としては、元素周期表に掲載されている元素のうち、Ｈ、Ｈｅ、Ｌｉ、Ｂｅ、Ｂ以外の元素を用いることができる。
【００２３】
なお、複数の記録部１２において、一の記録部に含まれる元素と他の記録部に含まれる元素とが互いに同位体である場合、当該元素以外の元素同士が完全に一致している場合には、これらの記録部同士は互いに異なる組成を有することにはならないものとする。
【００２４】
複数の記録部１２の記録材料に含まれる元素は、１種類の元素を単独で用いてもよく、複数種類の元素を混合して用いてもよい。１種類の元素を単独で用いる場合は、各記録部１２ａ〜１２ｉにおける元素重量が互いに異なる必要があり、複数種類の元素を混合して使用する場合には、元素重量は記録部１２ａ〜１２ｉにおいて同一であっても異なっていてもよい。
【００２５】
このように記録媒体１０においては、記録部１２ａ〜１２ｉが互いに異なる元素組成及び／又は元素重量の記録材料を含有し、各記録部１２ａ〜１２ｉにおいては、その元素組成及び／又は元素重量に対応した情報が記録されている。ここで、記録部１２について元素分析を行うことにより、元素を的確に検出することが可能であり、且つ、元素重量については広範囲にわたって検出することが可能である。従って、元素の種類を増加させるか、元素分析により測定可能な重量範囲の分割数を増加させるか、あるいはこれらを併用することにより、１つの記録部１２当たりに割り当てられるビット数を大幅に大きくすることが可能となる。
【００２６】
ここで、具体例を挙げて、記録媒体１０について説明する。本具体例では、後述するＬＡ−ＩＣＰ−ＭＳ装置で使用可能な元素を１７種類挙げると共に、検出可能な元素の重量範囲を０〜１０００ｎｇとし、この０〜１０００ｎｇの重量範囲を１６段階に分割する。重量範囲を１６段階に分割することにより、１６進数表記が可能となる。そして、重量範囲の各段階ごとに０〜Ｆまで１６個のコードを割り振る。これにより、下記表１に示す変換コードが得られる。
【表１】
2005346774.tif 000003
【００２７】
ここで、例えば記録部１２ｇがＭｎを１ｎｇ、Ｔｉを１０ｎｇ含有する場合、各元素ごとの対応コードを求め、求めたコードを、ＬｉからＢｉに向かって順次列挙していくと、得られるコード列は、０００００７３００００００００００となる。即ち記録媒体１０によれば、１つの記録部１２当たりに割り当てられる情報ビット数を１６１７、即ち２６８にすることができる。
【００２８】
なお、変換コードは、上記表１に限定されず、縦軸については例えば元素数を増やしたり、元素の混合物を挙げることにより増やすことも可能であり、横軸については重量範囲を更に多段階に規定したり、重量範囲（０〜１０００ｎｇ）を広げたりすることも可能である。すなわち、変換コードは表１のような１６進法に限られず、任意に広げることが可能であり、これにより、より大容量の情報を記録することが可能となる。
【００２９】
また記録媒体１０においては、記録部１２が凹部１３に収容されている。このため、基体１１が凹部１３で周辺物と接触しても、記録部１２と周辺物との接触が十分に防止される。従って、記録部１２と周辺物との接触による記録部１２へのコンタミネーションの付着が十分に防止される。よって、記録部１２についての元素分析に際して、記録部１２に本来含まれている元素以外の元素が測定されることが十分に防止され、記録部１２に含まれている情報を的確に再生することができる。
【００３０】
また、記録部１２ａ〜１２ｉに含まれる記録材料は少なくとも１種類の共通の元素を含有することが好ましい。複数の記録部１２ａ〜１２ｉが少なくとも１つの共通の元素を含有することによって、より的確なデータを得ることができる。すなわち、複数の記録部１２ａ〜１２ｉについて元素分析を行った結果、複数の記録部１２ａ〜１２ｉに共通する元素間で重量差が生じたとしても、その重量差を小さくする補正を行うことにより、記録部１２に含まれている情報をより的確に再生することができる。また、このような観点から、共通する特定の元素は各記録部１２ａ〜１２ｉ中に同量含まれていることが好ましい。
【００３１】
基体１１を構成する材料は、特に限定されないが、記録媒体１０の記録部１２について、後述する蛍光Ｘ線分析や質量分析等の元素分析を行う場合に、測定値に悪影響を及ぼさないものであることが好ましい。このような材料は、記録媒体１０の記録部１２に記録された情報を再生する場合に使用する元素分析の種類によって異なる。即ち元素分析が蛍光Ｘ線分析である場合は、基体１１を構成する材料としては、具体的にはポリカーボネートなどの有機材料、石英、シリコン、アルミナ、アルミニウム等が挙げられる。中でも、記録部１２に記録された情報を読み出す際、記録部１２の元素の種類、重量を検出するが、記録部１２に用いられる元素の検出への影響が少ないという理由から、ポリカーボネートなどの有機材料を用いることが好ましい。元素分析がＩＣＰ質量分析である場合は、基体１１を構成する材料としては、具体的にはポリカーボネートなどの有機材料、石英、シリコン、アルミナ、アルミニウム等が挙げられる。中でも、記録部１２に記録された情報を読み出す際、記録部１２の元素の種類、重量を検出するが、記録部１２に用いられる元素の検出への影響が少ないという理由から、ポリカーボネートなどの有機材料を用いることが好ましい。
【００３２】
更に、基体１１に含まれる元素と、記録材料に含まれる元素とが異なることが好ましい。基体１１に含まれる元素と記録部１２に含まれる元素とを異なる元素とすることによって、記録部１２について元素分析を行う際に、基体１１に含まれる元素が記録部１２に含まれる元素と混合し、誤った測定値となることを防止することができる。よって、より一層的確に情報を再生することができる。
【００３３】
次に、上述した記録媒体１０の製造方法について説明する。
【００３４】
まず平板状の基体１１を用意する。基体１１としては、一面１１ａに凹部１３が形成されているものが用いられる。
【００３５】
次に、基体１１の凹部１３に記録部１２を収容する。このとき、凹部１３に収容する記録部１２は、互いに元素組成及び／又は元素重量が異なるようにする。記録部１２の形成方法は、特に限定されないが、基体１１に形成された凹部１３に、記録材料を含む分散液を滴下して乾燥させる方法や、粉末状の記録材料を凹部１３に押し込んで加圧する方法等が挙げられる。これらの方法のうち、製造効率を考慮すれば、記録材料を含む溶液を凹部１３に滴下して乾燥させる方法が好ましい。このとき、溶液の滴下は、インクジェット法、もしくはディスペンサーによる滴下により行うことが好ましい。この場合、液滴の調製を容易に行うことができるため、記録部の大きさの調整が容易となる。
【００３６】
こうして記録媒体１０の製造が完了する。言い換えると、基体１１への記録情報の記録が完了する。
【００３７】
次に、上述した記録媒体１０に記録された記録情報の再生方法について説明する。
まず、記録情報の再生方法の説明に先立ち、記録情報の再生装置について説明する。
【００３８】
図３は、記録情報の再生装置の一例としてのレーザーアブレーションＩＣＰ質量分析装置（以下、「ＬＡ−ＩＣＰ−ＭＳ装置」と言う）の一例を示す概略図である。ＬＡ−ＩＣＰ−ＭＳ装置２１は、分析対象の記録媒体１０における記録部１２にレーザー光を照射してレーザーアブレーションを行うＬＡ部２２と、このレーザーアブレーションを行うことによって記録部１２から得られる飛散物をＬＡ部２２から導入しプラズマでイオン化して質量分析を行うＩＣＰ−ＭＳ部２３とを備えている。
【００３９】
ＬＡ部２２は、試料室２４、レーザーユニット２５、ＣＣＤカメラ２６を主として備えている。試料室２４内には試料台２８が設けられており、この試料台２８の上には、分析対象の記録部１２を有する記録媒体１０が配置される。
【００４０】
このようなＬＡ部２２において、レーザーユニット２５から所定の波長で出射されたレーザー光は、まず、ミラー３０，３１で順次反射され、波長変換素子３２へ入射される。波長変換素子３２で波長を半減されたレーザー光は、波長変換素子３３で更に波長を半減される。そして、ミラー３４，３５，３６で反射された後、レンズ３７を通り、最後にビームスプリッタ３８で反射されて試料室２４内の記録媒体１０へと向かうようになっている。
【００４１】
レーザーユニット２５は、例えば、波長１０６４ｎｍのＮｄ−ＹＡＧレーザーを搭載している。そして、例えば、波長１０６４ｎｍのレーザー光を波長変換素子３２で波長５３２ｎｍ（２次高調波）に変換し、その後、波長変換素子３３で波長５３２ｎｍから波長２６６ｎｍ（３次高調波）に変換する。このように、レーザー光を短波長とすることにより、レーザー光のエネルギーが高まり、より多くの物質に対してアブレーションを行うことができる。
【００４２】
一方、ＣＣＤカメラ２６は、ビームスプリッタ３８を介して試料室２４内に配置された記録媒体１０を観察できるようになっており、例えば、記録媒体１０の表面におけるレーザー光の照射位置を観察する。
【００４３】
試料室２４には、アルゴンガス等のキャリアガスを試料室２４内に導入する導入管３９と、試料室２４外に導出する導出管４０とが接続されている。これら導入管３９及び導出管４０としては、例えばタイゴンチューブなどが用いられる。
【００４４】
一端が試料室２４に接続された導出管４０は、他端がＩＣＰ−ＭＳ部２３におけるプラズマトーチ４１の後端部に接続されている。そして、導入管３９によって試料室２４内へ導入されたキャリアガスは、レーザー光の照射によって飛散された記録媒体１０の記録部１２から得られる飛散物と共に、導出管４０を通ってＩＣＰ−ＭＳ部２３へと向かうようになっている。
【００４５】
ＩＣＰ−ＭＳ部２３は、導入管４２からキャリアガスと共に導入された飛散物をイオン化するプラズマＰを発生させるプラズマトーチ４１と、このプラズマトーチ４１の先端部近傍に位置するイオン導入部４３を有する質量分析部４４とを備えている。
【００４６】
プラズマトーチ４１は、例えば３重管構造となっており、導入管４２からキャリアガスが導入され、管４６からプラズマＰ形成用のプラズマガスが導入され、管４７からプラズマトーチ４１の壁面を冷却するためのクーラントガスが導入されるようになっている。キャリアガス、プラズマガス及びクーラントガスとしては、例えば、アルゴンガスなどを用いる。
【００４７】
また、プラズマトーチ４１内には、キャリアガス、プラズマガス及びクーラントガスを合わせ、全体として約１５〜２０リットル／分の流量のガスが供給される。それぞれのガス導入量の一形態としては、キャリアガスが約１リットル／分、プラズマガスが約１リットル／分、クーラントガスが約１６リットル／分である。
【００４８】
そして、プラズマトーチ４１には、図示しない高周波電源に接続された高周波コイル４８が先端側に備えられており、この高周波コイル４８に電圧が印加されることにより、プラズマトーチ４１の先端側の内部にプラズマＰが形成される。
【００４９】
質量分析部４４のイオン導入部４３は、プラズマトーチ４１の先端に対向する導入孔４９を有している。そして、この導入孔４９を通して、プラズマＰからの光やイオンを筐体５０内に導入する。なお、導入孔４９の直径は、例えば１ｍｍ程度である。
【００５０】
筐体５０内は、真空ポンプ５１，５２によって、イオン導入部４３側が低真空室、その奥が高真空室というように、真空度が異なる２つの部屋に分かれている。そして、質量分析部４４は、筐体５０内において、プラズマＰからの光とイオンとをイオンレンズ５３で分離してイオンのみを通過させ、質量多重極部５４で特定のイオンのみを取り出して検出器５５で検出するようになっている。
【００５１】
ＩＣＰ−ＭＳ部２３としては、例えば、横河アナリティカル製Ａｇｉｌｅｎｔ７５００ｓ（ＩＣＳ−ＭＳ）を用いることができる。またこのＩＣＰ−ＭＳ部２３によると、測定できる記録材料は、Ｌｉ、Ｂｅ、Ｂ、Ｃ、Ｎ、Ｏ、Ｆ、Ｎｅ、Ｎａ、Ｍｇ、Ａｌ、Ｓｉ、Ｐ、Ｓ、Ｃｌ、Ａｒ、Ｋ、Ｃａ、Ｓｃ、Ｔｉ、Ｖ、Ｃｒ、Ｍｎ、Ｆｅ、Ｃｏ、Ｎｉ、Ｃｕ、Ｚｎ、Ｇａ、Ｇｅ、Ａｓ、Ｓｅ、Ｂｒ、Ｋｒ、Ｒｂ、Ｓｒ、Ｙ、Ｚｒ、Ｎｂ、Ｍｏ、Ｔｃ、Ｒｕ、Ｒｈ、Ｐｂ、Ａｇ、Ｃｄ、Ｉｎ、Ｓｎ、Ｓｂ、Ｔｅ、Ｉ、Ｘｅ、Ｃｓ、Ｂａ、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕ、Ｈｆ、Ｔａ、Ｗ、Ｒｅ、Ｏｓ、Ｉｒ、Ｐｔ、Ａｕ、Ｈｇ、Ｔｌ、Ｐｂ、Ｂｉ、Ｔｈ、Ｕ等が挙げられる。
【００５２】
次に、上述した記録情報の再生装置２０を用いた記録情報の再生方法について説明する。
【００５３】
まず、ＬＡ部２２では、記録媒体１０を試料台２８の上に設置する。このとき、基体１１の一面１１ａがビームスプリッタ３８に向けられるように記録媒体１０を設置する。
【００５４】
このとき、導入管３９からアルゴンガス等のキャリアガスを試料室２４内に導入すると共に、導出管４０を経て試料室２４外に導出させる。
【００５５】
一方、ＩＣＰ−ＭＳ部２３では、高周波コイル４８に電圧を印加することにより、プラズマトーチ４１の先端側の内部にプラズマＰを形成する。このとき、導入管４２からキャリアガスを導入すると共に、管４６からプラズマＰ形成用のプラズマガスを導入し、管４７からプラズマトーチ４１の壁面を冷却するためのクーラントガスを導入する。また筐体５０内は、真空ポンプ５１，５２によって、イオン導入部４３側を低真空、その奥を高真空となるようにする。
【００５６】
このとき、記録媒体１０の表面におけるレーザー光の照射位置をＣＣＤカメラ２６を用いて観察し、レーザー光の照射位置が記録部１２ａ〜１２ｉのうちのいずれかに合っているか確認する。
【００５７】
この状態で、レーザーユニット２５からレーザー光を出射させる。すると、レーザー光は、まず、ミラー３０，３１で順次反射され、波長変換素子３２へ入射される。波長変換素子３２で波長を半減されたレーザー光は、波長変換素子３３で更に波長を半減される。そして、ミラー３４，３５，３６で反射された後、レンズ３７を通り、最後にビームスプリッタ３８で反射されて試料室２４内の記録媒体１０の記録部１２に入射される。これにより、記録部１２に対してレーザーアブレーションが行われる。
【００５８】
このとき、レーザー光の照射によって飛散された記録媒体１０の記録部１２から得られる飛散物は、導入管３９によって試料室２４内へ導入されたキャリアガスにより、導出管４０を経てＩＣＰ−ＭＳ部２３へと移送される。
【００５９】
ＩＣＰ−ＭＳ部２３では、プラズマＰからの光やイオンは、導入孔４９を通して、筐体５０内に導入される。
【００６０】
質量分析部４４では、筐体５０内において、プラズマＰからの光とイオンとがイオンレンズ５３で分離されてイオンのみが通過し、質量多重極部５４で特定のイオンのみが取り出されて検出器５５で検出される。こうして各記録部１２ａ〜１２ｉについて順次元素分析が行われる。
【００６１】
こうして得られる記録部１２の元素分析の結果から、元素の組成及び重量が測定される。そして、表１に示す変換コードに基づきコード列が算出される。このとき、コード列に対して予め情報が関係付けられていれば、コード列に基づき、記録媒体１０の各記録部１２に記録された記録情報を再生することができる。このとき、得られた分析結果から変換コードに基づいて記録情報を再生する操作は、ソフトウェアを用いて行うことができる。
【００６２】
以上のようにして記録部１２について元素分析を行うと、上記記録媒体１０に記録された記録情報を有効に再生することができる。即ち、記録部１２について元素分析を行うことにより、元素を的確に検出することが可能であり、且つ、元素重量については広範囲にわたって検出することが可能である。特に、ＬＡ−ＩＣＰ−ＭＳ装置２１が用いられる場合、元素が極微量であっても高感度且つ高精度で元素の組成及び重量の分析を行うことができる。また、この再生方法では、記録部１２をレーザーアブレーションによって飛散物とする。このため、この再生方法によれば、上記記録媒体１０の記録部１２に記録された情報は、一度しか読み出すことができない。したがって、この再生方法によれば、上記記録媒体１０を、セキュリティーの保護等に使用可能な、いわゆるＲｅａｄ  Ｏｎｃｅ  Ｍｅｍｏｒｙの記録媒体として用いることができる。
【００６３】
以上、本発明の好適な実施形態について述べたが、本発明は必ずしもこれらに限定されるものではない。
【００６４】
例えば、上記実施形態では、記録媒体１０において、基体１１の一面１１ａ側に凹部１３が形成されているが、図４に示すように、基体１１において、凹部１３は形成されていなくても構わない。即ち基体１１の一面１１ａが平坦面となっており、その平坦面上に複数の記録部１２が形成されていてもよい。
【００６５】
また図１及び図４に示す記録媒体１０においては、基体１１の一面１１ａ側に記録部１２が設けられているが、記録部１２は基体１１の両面側に設けられていてもよく、更に残りの面に設けられていてもよい。また上記実施形態では基体１１が平板状となっているが、基体１１は、平板状に限定されるものではなく、立方体や直方体であっても構わない。
【００６６】
また、記録部１２の形状は、球状、円柱状、三角錐状、四角柱状等使用する分析装置や記録媒体の形状等に応じて変形することができる。
【００６７】
また上記実施形態では、記録媒体１０に記録された記録情報を再生する場合に、記録媒体１０の記録部１２に対しレーザー光照射によりアブレーションを行い、このとき得られる飛散物についてＩＣＰ質量分析を行うことにより元素分析を行い、元素の組成及び重量を測定しているが、元素の組成及び重量は、蛍光Ｘ線分析法を用いて測定することもできる。
【００６８】
この場合、上述した記録部１２にＸ線を照射し、発せられる蛍光Ｘ線を分析することにより元素分析が行われる。このため、この方法によれば、記録部１２を破壊することなく、元素分析を行うことが可能となる。よって、記録部１２に記録された情報を何回も読み出すことができ、記録媒体１０を、いわゆるＲｅａｄ  Ｏｎｌｙ  Ｍｅｍｏｒｙの記録媒体として使用することができる。また蛍光Ｘ線分析法を用いる場合、高精度の分析結果を比較的短時間で得ることができる。
【００６９】
蛍光Ｘ線分析法に使用する蛍光Ｘ線分析装置としては、市販のもの、例えばリガク製ＺＳＸ１００を使用することができる。
【００７０】
この蛍光Ｘ線分析装置によると、測定できる記録材料としては、Ｆ、Ｎａ、Ｍｇ、Ａｌ、Ｓｉ、Ｐ、Ｓ、Ｃｌ、Ｋ、Ｃａ、Ｓｃ、Ｔｉ、Ｖ、Ｃｒ、Ｍｎ、Ｆｅ、Ｃｏ、Ｎｉ、Ｃｕ、Ｚｎ、Ｇａ、Ｇｅ、Ａｓ、Ｓｅ、Ｂｒ、Ｒｂ、Ｓｒ、Ｙ、Ｚｒ、Ｎｂ、Ｍｏ、Ｔｃ、Ｒｕ、Ｒｈ、Ｐｂ、Ａｇ、Ｃｄ、Ｉｎ、Ｓｎ、Ｓｂ、Ｔｅ、Ｉ、Ｃｓ、Ｂａ、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕ、Ｈｆ、Ｔａ、Ｗ、Ｒｅ、Ｏｓ、Ｉｒ、Ｐｔ、Ａｕ、Ｈｇ、Ｔｌ、Ｐｂ、Ｂｉ、Ｐｏ、Ａｔ、Ｔｈ、Ｕ等が挙げられる。
【００７１】
なお、蛍光Ｘ線分析により記録部１２について元素分析を行った後は、上記実施形態と同様にして記録部１２に記録された情報を再生すればよい。
【実施例】
【００７２】
以下、実施例により本発明を更に具体的に説明するが、本発明はこれらの実施例に限定されるものではない。
【００７３】
（実施例）
基体としてろ紙を用意した。そして、ろ紙上に、６種類の記録部（記録部Ａ，Ｂ，Ｃ，Ｄ，Ｅ，Ｆ）を形成した。まず、ろ紙上にマイクロピペットを用いて原子吸光用標準液を所定量滴下した。これを複数回繰り返し、図５に示すように６種類の記録部を有する記録媒体を得た。記録部に含まれる元素の重量が下記の表２に示す量になるように調整した。
【表２】
2005346774.tif 000004
（単位：ｎｇ）
【００７４】
次に、ろ紙（記録媒体）をレーザーアブレーション装置にセットし記録部Ａ、Ｂ、Ｃ、Ｄ、Ｅ、Ｆの順にＩＣＰ−ＭＳ装置で分析した。レーザーアブレーション装置としてはＮｅｗ  Ｗａｖｅ  Ｒｅｓｅａｒｃｈ社製のＬＵＶ２６６Ｘを用い、ＩＣＰ−ＭＳ装置として横河アナリティカルシステムズ製Ａｇｉｌｅｎｔ７５００ｓを用いた。
【００７５】
レーザーを照射しながらＩＣＰ−ＭＳ装置で各元素をモニターしその強度より元素重量を計算した。下記表３に各記録部の元素重量を示す。
【表３】
2005346774.tif 000005
（単位：ｎｇ）
【００７６】
このように各記録部からは記録部作製時と同じ元素のみが検出された。さらにその量の作製量とほぼ同量が検出された。
【００７７】
ここで、記録部Ｄ、Ｅ、Ｆについては製造時においてＹを１ｎｇ添加してあったため、これを基準として各元素量を補正した。結果を下記表４に示す。
【表４】
2005346774.tif 000006
（単位：ｎｇ）
【００７８】
上記表４の結果より、補正することで、各記録部の元素量をより正確な値とすることができることがわかった。
【００７９】
更に、こうして得られた上記表３のＡ〜Ｃ及び上記表４のＤ〜Ｆの分析値を下記表５に示す変換コードを用いて変換すると下記表６に示すような１６進法表記が得られた。
【表５】
2005346774.tif 000007
【表６】
2005346774.tif 000008
【００８０】
例えば、上記表６に示す１６進法表記の記録部Ｃは文字コード表により文字列に変換すると「ＴＤＫ！」となった。
【００８１】
このように本発明に係る記録媒体によれば、１記録部当たりのビット数を１６１７、即ち２６８にすることが可能であることがわかった。
【図面の簡単な説明】
【００８２】
【図１】本発明に係る記録媒体の一実施形態を示す平面図である。
【図２】図１のＩＩ−ＩＩ線に沿った断面図である。
【図３】本発明に係る記録媒体の他の実施形態を示す部分拡大断面図である。
【図４】図１の記録媒体に記録された記録情報を再生する再生装置の一例を示す概略図である。
【図５】実施例に係る記録媒体を示す平面図である。
【符号の説明】
【００８３】
１０…記録媒体、１１…基体、１２，１２ａ〜１２ｉ…記録部、１３，１３ａ〜１３ｃ…凹部。
【図１】
2005346774.tif 000009
【図２】
2005346774.tif 000010
【図３】
2005346774.tif 000011
【図４】
2005346774.tif 000012
【図５】
2005346774.tif 000013